(57)【要約】【課題】フックユニットとベースブラケットとが確実に組み付けられ、小型軽量化やコストの低減が図られる薄型ディスプレイの壁掛け装置および壁掛け方法を提供すること。【解決手段】薄型ディスプレイ４０の背面に固定されるフックユニット２０と、壁面に固定される複数のベースブラケット１０とを有し、フックユニット２０がベースブラケット１０に固定され、フックユニット２０およびベースブラケット１０に、フックユニット２０とベースブラケット１０とのＸ方向およびＹ方向の相対位置を凹凸形状の嵌合により位置決めする位置決め部が形成されてなる。これにより、フックユニット２０とベースブラケット１０とが確実に組み付けられ、小型軽量化およびコスト低減が達成される。【選択図】図１
2008052133.tif 000002
【特許請求の範囲】
【請求項１】
壁面に固定される壁面固定部と、位置決め用の凹部又は凸部と、フック固定部を有する複数のベースブラケットと、
薄型ディスプレイの背面に固定されるディスプレイ固定部と、前記ベースブラケットのフック固定部に固定されるフック部と、前記ベースブラケットの位置決め用の凹部又は凸部と嵌合する凹部又は凸部とを備えたフックユニットとで構成したことを特徴とする
薄型ディスプレイの壁掛け装置。
【請求項２】
前記フックユニットの位置決め用の凹部又は凸部が設けられた面と、前記フックユニットのフック部が設けられた面は、反対側の面であり、
位置決め時に前記フックユニットをベースブラケットに取り付ける際と、薄型ディスプレイ固定時に前記フックユニットをベースブラケットに取り付ける際では、前記フックユニットを反転させる構成としたことを特徴とする
請求項１に記載の薄型ディスプレイの壁掛け装置。
【請求項３】
前記ベースブラケットと前記フックユニットの位置決め用の凹部又は凸部は、複数の突起と、これら突起が個別に嵌入される複数の嵌入穴とからなり、前記突起または前記嵌入穴は、前記フックユニットおよび前記ベースブラケットのどちらか一方に設けたことを特徴とする
請求項１に記載の薄型ディスプレイの壁掛け装置。
【請求項４】
前記ベースブラケットと前記フックユニットの位置決め用の凹部又は凸部は、前記フックユニットまたは前記ベースブラケットの外形形状が整合する凹部を含み、前記凹部は、前記ベースブラケットまたは前記フックユニットに形成し、前記外形形状を前記凹部に嵌合することにより、前記ベースブラケットが位置決めされることを特徴とする
請求項１に記載の薄型ディスプレイの壁掛け装置。
【請求項５】
前記ベースブラケットに突片を形成し、前記フックユニットに前記突片が挿入される受け穴を形成し、前記ベースブラケットを位置決めする際、前記突片を前記受け穴に挿入して、前記フックユニットが前記ベースブラケットに支持されることを特徴とする
請求項１に記載の薄型ディスプレイの壁掛け装置。
【請求項６】
壁面に取り付けられるベースブラケットに複数の突起が形成され、フック部を有して薄型ディスプレイの背面に固定されるフックユニットに、前記突起が個別に嵌入される複数の嵌入穴が形成され、前記突起を前記嵌入穴に嵌入することにより、前記ベースブラケットのＸ方向およびそのＸ方向に直交するＹ方向の取り付け位置を位置決めする行程と、
前記フックユニットを前記ベースブラケットに仮止めすることにより、前記ベースブラケットの取り付け位置を固定した後、前記壁面に前記ベースブラケットの取り付け穴を加工し、前記ベースブラケットを前記壁面に固定する行程と、
前記フックユニットの仮止めを外した後、前記フックユニットを前記薄型ディスプレイの背面に固定する行程と、
前記薄型ディスプレイを前記フックユニットを介して前記ベースブラケットに懸架した後、前記フックユニットを前記ベースブラケットに固定する行程と、
を含むことを特徴とする薄型ディスプレイの壁掛け方法。
【請求項７】
フック部を有し、薄型ディスプレイの背面に固定されるフックユニットに、壁面に取り付けられるベースブラケットの外形形状が整合する凹部が形成され、前記ベースブラケットの外形形状を前記フックユニットの凹部に嵌合することで、前記ベースブラケットのＸ方向およびＹ方向の取り付け位置を位置決めする行程と、
前記フックユニットを前記ベースブラケットに仮止めすることにより、前記ベースブラケットの取り付け位置を固定した後、前記壁面に前記ベースブラケットの取り付け穴を加工し、前記ベースブラケットを前記壁面に固定する行程と、
前記フックユニットの仮止めを外した後、前記フックユニットを前記薄型ディスプレイの背面に固定する行程と、
前記薄型ディスプレイを前記フックユニットを介して前記ベースブラケットに懸架した後、前記フックユニットを前記ベースブラケットに固定する行程と、
を含むことを特徴とする薄型ディスプレイの壁掛け方法。
【発明の詳細な説明】
【技術分野】
【０００１】
本発明は、大画面の液晶テレビジョン装置やプラズマテレビジョン装置などの薄型ディスプレイを、壁面に設置するために用いられる薄型ディスプレイの壁掛け装置および壁掛け部材取り付け方法に関する。
【背景技術】
【０００２】
従来、画面サイズが４０インチや５０インチなどの大画面の薄型ディスプレイを、壁面に設置する際には、一方と他方の金具で構成された取付け部材を用意して、一方の取付け部材を壁面に固定し、他方の取付け部材を薄型ディスプレイの背面に固定し、双方の金具をねじ止めなどで固定する構成としてあった。
【０００３】
図１２は従来の壁掛け金具の一例を示した図である。横長プレート状のベースブラケット１および縦方向に長尺に形成された左右一対のフックユニット３が組み付けられ固定される。ベースブラケット１は、壁面に固定され、フックユニット３は、その上端部に、鉤手状のフック３ａが形成され、薄型ディスプレイ２の背面に複数の止めねじ４によって固定される。
【０００４】
ベースブラケット１は、矩形状の平板１ａの上下端部に断面コ字形の横枠１ｂが形成され、これら横枠１ｂの近傍に一列状に配置された複数の止めねじ４によって壁面に固定される。薄型ディスプレイ２に固定されたフックユニット３のフック３ａが、壁面に固定されたベースブラケット１の上側横枠１ｂの上辺部に引っ掛けられ、薄型ディスプレイ２がベースブラケット１に懸架された後、フックユニット３の下端部が、下側横枠１ｂに止めねじ４によって固定され、薄型ディスプレイ２は、壁面に壁掛け設置される。
【０００５】
また、図１３に示す壁掛け装置は、壁面に固定されるベースブラケット５と、上端部に鉤手状のフック部７ａを有し、薄型ディスプレイ２（図１２参照）の背面に固定される左右一対のフックユニット７とが組み付けられ固定される。ベースブラケット５は、上下一対のベース枠体５ａおよびこれらベース枠体５ａ間に配置された連結板５ｂからなり、この連結板５ｂの両端部は、上下のベース枠体５ａに止めねじ６ｂによって固定される。また、ベース枠体５ａは、止めねじ６ａによって壁面に固定される。
【０００６】
フックユニット７のフック部７ａが上側のベース枠体５ａの上辺部に引っ掛けられ、薄型ディスプレイ２が懸架された後、フックユニット７の下端部が、下側のベース枠体５ａに止めねじ６ｃにより固定され、薄型ディスプレイ２が壁面に壁掛け設置される。なお、このような従来技術に類似のものが、以下に示す特許文献１に開示されている。
【特許文献１】特開２００６−３０３１０号公報
【発明の開示】
【発明が解決しようとする課題】
【０００７】
ところで、壁掛け装置は、重量が大きな薄型ディスプレイ２を安定的に支持する必要がある。このため、ベースブラケット１、５の充分な取り付け剛性を確保するため、ベースブラケット１、５は、壁面の広い範囲に渡ってねじ止め固定されるようになっている。従って、ベースブラケット１は、一対の横枠１ｂ間に矩形状の平板１ａを有し、ベースブラケット５では、一対のベース枠体５ａ間に連結板５ｂが固定され、ベースブラケット１、５の有効面積を広くとる構成になっている。
【０００８】
このような壁掛け装置では、上下の横枠１ｂの相対位置が、平板１ａによって固定され、上下のベース枠体５ａの相対位置が、連結板５ｂによって固定されるので、フックユニット３、７とベースブラケット１、５との組み付けのばらつきが少なく、フックユニット３、７がベースブラケット１、５に精度よく組み付けられるという利点を有している。
しかしながら、その反面、平板１ａや連結板５ｂがあるので、壁掛け装置そのものが大型化し、ひいては製品梱包の大型化および重量の増大を招き、コスト高にもなるという問題がある。また、壁掛け装置を壁面に固定した場合、壁面に平板１ａや連結板５ｂの重量が余分に掛かり、壁面の破損を早めるという問題もある。
【０００９】
本発明の技術的課題は、前記のような事情に鑑みてなされたものであり、その目的は、フックユニットとベースブラケットとが精度よく確実に組み付けられ、小型軽量化やコストの低減が図られる薄型ディスプレイの壁掛け装置および壁掛け方法を提供することにある。
【課題を解決するための手段】
【００１０】
前記目的を達成するため、本発明は、複数のベースブラケットとフックユニットとで構成する。ベースブラケットは、壁面に固定される壁面固定部と、位置決め用の凹部又は凸部と、フック固定部を有する。フックユニットは、薄型ディスプレイの背面に固定されるディスプレイ固定部と、ベースブラケットのフック固定部に固定されるフック部と、ベースブラケットの位置決め用の凹部又は凸部と嵌合する凹部又は凸部とを備える。
【００１１】
これにより、ベースブラケットを壁面に固定する際には、フックユニットを冶具として使用して、フックユニットとベースブラケットの凹凸形状（嵌入穴、突起）の嵌合により、複数本のベースブラケットを平行状態に並べることができ、正確に位置決めすることが可能となり、その正確に位置決めした状態で壁面に固定することができる。そして、ベースブラケットを壁面に固定した後は、その冶具として使用されたフックユニットをベースブラケットから外して、薄型ディスプレイに固定した上で、フックユニットのフック部をフック固定部に固定させることで、薄型ディスプレイを取り付けることができる。
【発明の効果】
【００１２】
本発明によれば、ベースブラケットを壁面に固定する際には、フックユニットを冶具として使用して、複数本のベースブラケットを正確に平行に並べて取り付けることができる。従って、ベースブラケットが複数の部材で構成されても、一体化された従来のベースブラケットと同様の取り付け精度が確保され、ベースブラケットの小型化に貢献する。
そして、ベースブラケットを壁面に固定する際に冶具として使用した部材であるフックユニットは、薄型ディスプレイを取り付ける際には、薄型ディスプレイに固定されて、ベースブラケットに取り付ける部材として使用され、用意された部材が無駄なく使用される効果を有する。
【発明を実施するための最良の形態】
【００１３】
以下、本発明の実施の形態を図面に基づいて詳細に説明する。
図１は、本発明の一実施の形態例を示す斜視図である。この図１は、壁掛け装置のベースブラケットを壁面に固定する際の位置決め時の状態を示した図である。後述するように、本実施の形態の壁掛け装置で、薄型ディスプレイを保持する際の組み立て状態は、図１に示す状態とは異なる形態で組み立てられる。また、図２（ａ）は、ベースブラケットの位置決め部の部分斜視図であり、図２（ｂ）は、フックユニットの位置決め部を示す部分正面図である。
【００１４】
本例の壁掛け装置で固定される薄型ディスプレイは、例えば、大画面の液晶テレビジョン装置やプラズマテレビジョン装置などであり、テレビジョン放送などの受像映像や外部接続されたＡＶ機器による映像が表示される。
本例の壁掛け装置は、薄型ディスプレイを壁面などに設置するためのものであり、図１に示すように、２本のベースブラケット１０と、２本のフックユニット２０とで構成してある。２本のベースブラケット１０は、壁面に固定される部材であり、壁面に固定する際には、２本のベースブラケット１０の間隔を正確に平行にした上で、水平に壁面に固定する必要がある。２本のフックユニット２０は、薄型ディスプレイの背面に、直立した状態で固定される部材である。そして、壁面に固定された２本のベースブラケット１０に、薄型ディスプレイの背面に固定させた２本のフックユニット２０を取り付けて、薄型ディスプレイを壁面に保持させる構成である。
【００１５】
まず、図１及び図２を参照して、ベースブラケット１０とフックユニット２０の形状について説明する。２本のベースブラケット１０は、それぞれ同一形状としてあり、２本のフックユニット２０についても、それぞれ同一形状としてある。ベースブラケット１０とフックユニット２０とは、それぞれ金属板の折り曲げ、或いはダイキャスト成形された金属部材などで構成される。
【００１６】
ベースブラケット１０は、壁面に取り付けた際に平行になる垂直板１１と、壁面に略垂直な水平板１２および壁面に固定される取付板１３からなり、これら垂直板１１、水平板１２および取付板１３は、横方向に長尺に形成してある。垂直板１１の長手方向の一端寄りの所定位置と、他端寄りの所定位置には、一対の突片１１ａが形成してある。図２（ａ）は、それぞれの突片１１ａの近傍を拡大して示した図である。
図２（ａ）に示すように、それぞれの突片１１ａの下方には、仮止め用のねじ穴１１ｂがそれぞれ穿設してあり、それぞれの突片１１ａの両側には、位置決め用の突起１１ｃが所定間隔をおいてそれぞれ一対突設してある。
【００１７】
また、ベースブラケット１０の一方（取り付けた際に上側になる側）の水平板１２の長手方向の所定位置には、複数の掛け穴１２ａが穿設してある。この複数の掛け穴１２ａは、フックユニット２０を取り付けるための穴であり、フックユニット２０の取付け位置が複数の位置の中から選択できるように、多数設けてある。掛け穴１２ａは、後述するフックユニット２０のフック２５を掛けるためのフック固定部として機能するものである。取付板１３の長手方向には、ベースブラケット１０を壁面にねじ止め固定するための複数のねじ穴１３ａがほぼ等間隔に穿設してある。
【００１８】
フックユニット２０は、縦方向に長尺の中間板２０ａと、この中間板２０ａの幅方向両端より同一方向に屈曲形成された側板２０ｂとで断面略コ字状に形成してある。中間板２０ａが薄型ディスプレイの背面に固定されるようになっている。薄型ディスプレイの背面への固定は、ねじ穴へのねじ止めにより行われる。
【００１９】
フックユニット２０の中間板２０ａの長手方向の上部と下部には、図２（ｂ）に拡大して示すように、仮止めねじ３０を挿通する一対の仮止め穴２２がそれぞれ穿設してある。これら仮止め穴２２の間に、フックユニット２０を薄型ディスプレイの背面に固定するための複数のねじ穴２４が等間隔に穿設してある。また、仮止め穴２２より上方には、突片１１ａの受け穴２１が矩形状に形成してあり、仮止め穴２２の両側には、一対の突起１１ｃが個別に嵌入され、位置決めを行う一対の嵌入穴２３がそれぞれ穿設してある。なお、フックユニット２０の下方の仮止め穴２２及びその近傍の構成は、図１では見えない状態となっており、縦長穴２８の奥に仮止め穴２２が配置してある。
【００２０】
さらに、フックユニット２０の上部には、両側板２０ｂの側端より一対のフック２５が突出形成してあり、フックユニット２０の下端部の側板２０ｂには、ねじ穴２７ａを有する取付片２７がそれぞれ形成してある。フック２５は、鉤手状に形成され、複数の掛け穴１２ａに個別に掛合される。フック２５が突出している方向（側）は、中間板２０ａを配置した側と反対側としてある。このように中間板２０ａを配置した側と、フック２５が突出した側とが反対側であることで、後述するベースブラケット１０を壁面に固定する作業時に、フックユニット２０をベースブラケット１０に取り付ける際と、薄型ディスプレイ固定時に、フックユニット２０をベースブラケット１０に取り付ける際とでは、フックユニット２０の向きが１８０度反転させる必要がある。
また、フックユニット２０の内部には、薄型ディスプレイの傾斜角度を調節するためのチルト機構２６が収容されている。
【００２１】
ところで、一対のベースブラケット１０および一対のフックユニット２０を、井桁状に組み付ける際、突起１１ｃを嵌入穴２３に嵌入し、ベースブラケット１０とフックユニット２０との位置決めを行った状態で、フック２５は掛け穴１２ａ、取付片２７はベースブラケット１０の下面の取り付け部位に対応する位置に形成してある。
【００２２】
次に、かかる構成の壁掛け装置を用いて、薄型ディスプレイを壁面に固定する作業について、図１及び図３を参照して説明する。薄型ディスプレイを壁面に固定する際には、最初に、２本のベースブラケット１０を壁面に固定する必要がある。図１は、この２本のベースブラケット１０を壁面に固定する作業時の状態を示したものであり、ベースブラケット１０を壁面に固定する際には、一対のフックユニット２０を冶具として使用する。即ち、図１及び図３に示すように、一対のベースブラケット１０および一対のフックユニット２０を、井桁状に組み付ける作業を行う。この際には、ベースブラケット１０の突起１１ｃを、フックユニット２０の嵌入穴２３に嵌入するとともに、突片１１ａを受け穴２１に挿入する。これにより、図３に示すように、ベースブラケット１０とフックユニット２０とが井桁状に組み合わされ、ベースブラケット１０のＸ方向およびＹ方向の取り付け位置が位置決めされる。
【００２３】
そして、４本の仮止めねじ３０によって、井桁状のフックユニット２０とベースブラケット１０との各交点を仮止めし、ベースブラケット１０の取り付け位置を固定する。この仮止めねじ３０は、後述する薄型ディスプレイ固定時に使用するねじと共用化してもよい。
このように井桁状に組むことで、２本のベースブラケット１０の位置関係が正確に平行を保った状態となる。
この状態で、２本のベースブラケット１０の取付板１３を壁面に水平に押し当てた上で、壁面にベースブラケット１０の取り付け穴を形成させるドリル加工を施す。そして、その形成された壁面の取り付け穴に、ベースブラケット１０をねじ止めして、壁面に２本のベースブラケット１０を固定する。
その後、４本の仮止めねじ３０を外して、フックユニット２０の仮止めを外す。ここまでが、ベースブラケット１０の壁面への固定作業である。
【００２４】
次に、このように壁面に固定されたベースブラケット１０を使用して、薄型ディスプレイを壁面に固定する作業について説明する。
薄型ディスプレイを壁面に固定する際には、まず、図４に示すように、２本のフックユニット２０の中間板２０ａを、薄型ディスプレイ４０の背面に固定する。薄型ディスプレイ４０の背面には、予め、フックユニット２０を固定するための下穴４１が穿設させてあり、ねじ５０およびワッシャ６０を用いて、２本のフックユニット２０を下穴４１に締結させる。
【００２５】
次に、必要により、フックユニット２０の内部のチルト機構２６の傾斜角の調節を行う。図５及び図６は、このチルト機構２６の傾斜角の調節を行う状態を示したものである。即ち、第１のレバー２６ａと第２のレバー２６ｂとを固定するねじ７０を外し（図６（ａ）参照）、第１のレバー２６ａと第２のレバー２６ｂとが所望の角度位置になるようにねじ７０によって固定する（図６（ｂ）参照）。なお、薄型ディスプレイを壁面に対して垂直に取り付ける際には、このチルト機構２６の傾斜角の調節は不要である。
【００２６】
次に、薄型ディスプレイの背面に固定された２本のフックユニット２０を、ベースブラケット１０に取り付ける作業を行う。このときには、図７（ａ）、（ｂ）に示すように、フックユニット２０のフック２５を、上側のベースブラケット１０の掛け穴１２ａに引っ掛け（図８（ａ）参照）、薄型ディスプレイ４０をベースブラケット１０に懸架する。このとき、フックユニット２０の最下部に設けられた取付片２７は、下側のベースブラケット１０の下面の取り付け部位に合わせられる（図８（ｂ）参照）。最後に、図９（ａ）及びその要部の拡大図である図９（ｂ）に示すように、フックユニット２０の取付片２７のねじ穴２７ａを、ねじ８０により挿通させた上で、そのねじ８０を下部のベースブラケット１０のねじ穴（（図示せず）に止めて、フックユニット２０をベースブラケット１０に固定し、薄型ディスプレイ４０の壁掛け作業が終了する。ねじ８０は、図９に示すように、本薄型ディスプレイの下部から上方に挿通させる方向で取り付ける。なお、図８などから判るように、薄型ディスプレイの背面に固定された２本のフックユニット２０を、ベースブラケット１０に取り付ける際の、フックユニット２０がベースブラケット１０に取り付けられる向きは、図１に示したベースブラケット１０壁面固定時に冶具として取り付けられる向きと反対側である。
【００２７】
このように、本実施の形態では、ベースブラケット１０の突起１１ｃを、フックユニット２０の嵌入穴２３に嵌入することで、フックユニット２０およびベースブラケット１０のＸ方向およびＹ方向の相対位置が正確に位置決めされ、一対のベースブラケット１０の平行度が精度良く得られるとともに、フックユニット２０とベースブラケット１０との組み付けのばらつきが抑制される。
【００２８】
また、ベースブラケット１０およびフックユニット２０自身に突起１１ｃおよび嵌入穴２３の位置決め部を形成したことにより、従来の平板１ａや連結板５ｂ（図１２、１３参照）が不要となり、長尺の２本のベースブラケット１０と、同じく長尺の２本のフックユニット２０だけで、壁掛け装置が構成されることになる。従って、壁掛け装置として製品化する際には、長尺の４本の部材を平行に箱に収納する形状とすればよく、従来の平板や連結板を有する壁掛け装置に比べて、非常に小型の箱でよく、製品梱包に要するコスト低減を行うことができ、また製品の軽量化が図れる。
【００２９】
また、ベースブラケット１０取り付け時に必要な位置決め部は、ベースブラケット１０またはフックユニット２０に突起１１ｃまたは嵌入穴２３を形成するだけの簡便な加工で得られ、突起１１ｃを嵌入穴２３に嵌入する簡単な位置決め作業により、フックユニット２０とベースブラケット１０との組み付けのばらつきを効果的に抑制することができる。
【００３０】
さらに、フックユニット２０に、ベースブラケット１０の突片１１ａが挿入する受け穴２１が形成され、ベースブラケット１０の位置決め時に、フックユニット２０がベースブラケット１０に支持されるので、フックユニット２０の不本意な落下が回避され、安全性に優れる。
【００３１】
以上、本発明の実施の形態について詳述したが、本発明は、前記実施の形態記載に限定されるものではなく、本発明の特許請求の範囲に記載されている発明の精神を逸脱しない範囲で、種々の変更ができるものである。
例えば、図１０、１１に示す壁掛け装置は、上下に配置され、壁面に固定される長尺のベースブラケット９０と、上部にフック１０３を有し、薄型ディスプレイの左右に固定される長尺のフックユニット１００とからなり、これらベースブラケット９０とフックユニット１００とが井桁状に組み付けられ、ねじ１３０によって固定されている。
【００３２】
フックユニット１００には、薄型ディスプレイに固定するためのねじ穴１０１が穿設され、ベースブラケット９０は、複数のねじ１２０によって壁面に固定される。
フックユニット１００の上下所定部には、ベースブラケット９０の外形形状９２が整合する凹部１０２が形成され、ベースブラケット９０のＸ方向およびＹ方向の取り付け位置が、凹部１０２と外形形状９２との嵌合によって位置決めされる。この場合、ベースブラケット９０に、フックユニット１００の外形形状が整合する凹部を形成してもよい。
【００３３】
そして、この状態で、フックユニット１００とベースブラケット９０とが、仮止めねじ１１０によって固定され、ベースブラケット９０の取り付け位置が固定される。その後、ベースブラケット９０の取り付け穴が壁面に加工され、ベースブラケット９０は、ねじ１２０によって壁面に固定される。
【００３４】
次に、フックユニット１００の仮止めを外し、フックユニット１００を薄型ディスプレイの背面に固定する。そして、薄型ディスプレイをベースブラケット９０に懸架した後、最後に、フックユニット１００とベースブラケット９０とをねじ１３０によって固定する。
【００３５】
これにより、複数のベースブラケット９０の平行度が精度良く得られ、フックユニット１００とベースブラケット９０との組み付けのばらつきが抑制される。また、フックユニット１００に凹部１０２を形成するだけなので、簡単かつ低コストの位置決め部が得られ、装置自体およびその製品梱包の小型軽量化およびコスト低減を達成することができる。
【００３６】
また、本実施の形態では、ベースブラケット１０に突起１１ｃを形成し、フックユニット２０に嵌入穴２３を形成したが、ベースブラケット１０に嵌入穴を形成し、フックユニット２０に突起を形成しても構わない。
【図面の簡単な説明】
【００３７】
【図１】本発明の一実施の形態に係る薄型ディスプレイの壁掛け装置の位置決め時の斜視図である。
【図２】（ａ）は、図１に示すベースブラケットの位置決め部を示す部分斜視図、（ｂ）は、図１に示すフックユニットの位置決め部を示す部分正面図である。
【図３】図１に示すベースブラケットの位置決め時に、フックユニットがベースブラケットに仮止めされた状態を示す正面図である。
【図４】図１に示すフックユニットを薄型ディスプレイの背面に固定する際の斜視図である。
【図５】図４の薄型ディスプレイに固定されたフックユニットの斜視図である。
【図６】（ａ）、（ｂ）は、図１に示すチルト機構の傾斜角度の調節を説明する行程斜視図である。
【図７】（ａ）は、薄型ディスプレイのベースブラケットへの取り付けを説明する斜視図、（ｂ）は、（ａ）のベースブラケットの平面図である。
【図８】（ａ）は、薄型ディスプレイのベースブラケットへの取り付けを説明する側面図、（ｂ）は、薄型ディスプレイをベースブラケットに懸架した状態を示す側面図である。
【図９】（ａ）は、薄型ディスプレイに固定されたフックユニットをベースブラケットに固定する際の斜視図、（ｂ）は、（ａ）の要部拡大図である。
【図１０】本発明の他の実施の形態に係る薄型ディスプレイの壁掛け装置の斜視図である。
【図１１】図１０の側面図である。
【図１２】従来の薄型ディスプレイの壁掛け装置の分解斜視図である。
【図１３】従来の薄型ディスプレイの壁掛け装置の別の例の分解斜視図である。
【符号の説明】
【００３８】
１０…ベースブラケット、１１ａ…突片、１１ｂ…ねじ穴、１１ｃ…突起、１２ａ…掛け穴、１３ａ…ねじ穴、２０…フックユニット、２１…受け穴、２２…仮止め穴、２３…嵌入穴、２５…フック、２６…チルト機構、２７…取付片、３０、１１０…仮止めねじ、４０…薄型ディスプレイ、９０…ベースブラケット、９２…外形形状、１００…フックユニット、１０２…凹部
【図１】
2008052133.tif 000003
【図２】
2008052133.tif 000004
【図３】
2008052133.tif 000005
【図４】
2008052133.tif 000006
【図５】
2008052133.tif 000007
【図６】
2008052133.tif 000008
【図７】
2008052133.tif 000009
【図８】
2008052133.tif 000010
【図９】
2008052133.tif 000011
【図１０】
2008052133.tif 000012
【図１１】
2008052133.tif 000013
【図１２】
2008052133.tif 000014
【図１３】
2008052133.tif 000015